(57)【要約】      （修正有） 【解決手段】主にハリス付き釣針を包装する商品包装体であって、台紙の内部にハリスを巻き付けて台紙の上方の窓部に釣針が取り付けられ、台紙の包装袋には台紙の窓部に蓋部が接着と剥離が可能になるように接着剤が折り返し蓋部と包装袋の表面との接着点に塗布されるよう形成されている商品包装体。【効果】窓部に配置されている釣針を、折り返し蓋部を剥がすと容易に抜き出すことができ、台紙を包装袋から抜き出さずとも釣針を取り出すことができる。また、折り返し蓋部と包装袋の表面には接着剤が塗布されていることから、折り返し蓋部を繰り返し開閉することができ、包装を開けた後も釣針入れとして使用することができる。【選択図】    図１
2005104571.tif 000002
【特許請求の範囲】
【請求項１】
台紙と包装袋からなる商品包装体であって、
商品を折り畳んだ台紙の内部に収容し、該商品の主要部を台紙の上部に形成した窓部から露出させるものであり、
包装袋は下方に挿入口を開口させ、上部に表面シートもしくは裏面シートのいずれかを延長させて折り返し、その折り返した内部に補強シートを挟み込んだ状態で接合してフック受け部を形成するものであり、
その補強シートをフック受け部の接合箇所より下方に延長して、台紙の窓部を覆う蓋部を形成し、
該蓋部によって前記商品が露出している台紙の窓部を覆うとともに、蓋部の側縁部と包装袋は切り離し可能に接合し、包装袋の下方の挿入口から台紙を挿入した後、該挿入孔を接合して密閉したことを特徴とする商品包装体。
【請求項２】
台紙と包装袋からなる商品包装体であって、
商品を折り畳んだ台紙の内部に収容し、該商品の主要部を台紙の上部に形成した窓部から露出させるものであり、
包装袋は下方に挿入口を開口させ、上部に表面シートもしくは裏面シートのいずれかを延長させて折り返し蓋部を形成するものであり、
その折り返し蓋部によって前記商品が露出している台紙の窓部を覆うとともに、折り返し蓋部の側縁部と包装袋は切り離し可能に接合し、包装袋の下方の挿入口から台紙を挿入した後、該挿入孔を接合して密閉したことを特徴とする商品包装体。
【請求項３】
蓋部若しくは折り返し蓋部は包装袋の表面に対して繰り返し着脱可能な状態に貼着されるよう、蓋部若しくは折り返し蓋部の先端付近の包装袋表面と貼着する面に粘着剤が塗布されており、
粘着剤が塗布されている部分には、フィルムが被覆されていることを特徴とする請求項１又は２のいずれかに記載の商品包装体。
【発明の詳細な説明】
【技術分野】
【０００１】
本発明の商品包装体は商品を包装するもの、主にハリスがついた釣針を包装する商品包装体に関するものであって、包装体の蓋の開閉を容易にでき、釣針などの商品の出し入れにおいて包装袋が引っ掛かって破れない商品包装体に関するものである。
【背景技術】
【０００２】
従来の商品包装体、その中でもハリスのついた釣針を包装するための包装体は図１１に示すものがあった。図１１(ａ)に示す商品包装体１０１は複数の釣針１０２を包装するものであり、台紙１０７にハリス１０３を巻き付け、釣針１０２を台紙１０７の表面に引っ掛けて配置する。その釣針１０２が配置された台紙１０７を包装袋１０４に入れて包装していた。
しかし、図１１(ａ)、(ｂ)に示すように、この従来例の商品包装体１０１は包装袋１０４の後部に取り出し片１０５が貼着されて密封する形態となっている。
そこで、この包装体１０１では釣針１０２を取り出すときに取り出し片１０５の貼着状態を剥離させて、取り出し口１０６から台紙１０７を抜き出して蓋シート１０８を開けて、釣針１０２を取り出さなければならなかった。それに、台紙１０７を包装袋１０４に入れ直すときなどに釣針１０２の先に包装袋１０４が引っ掛かり、包装袋１０４が破れること等が多かった。
また、台紙１０７を抜き出した状態で釣針１０２を取り出すが、そのときに取り出し片１０５が台紙１０７に貼り付いたりすることが多く、使用し難いことが多かった。
そのため、取り出しなどの使用が容易でかつ包装袋が破れることがない包装体が望まれていた。
【０００３】
釣針の取り出しを容易にした商品包装体の背景技術には、商品包装用袋にシール蓋を設けたものがあった。
（例えば、特許文献１参照）
この商品包装用袋は、折り畳んだ台紙の内部にハリスがついた釣針を巻き付け、釣針が配置されている箇所の台紙はミシン目線で切り込みがなされており、使用者がミシン目線に沿って台紙の一部を切り離して商品取出窓口を形成して台紙内部の釣針を取り出すことができるものであり、その商品取出窓口を覆うように接着、剥離可能にシール蓋が形成されているものであった。
【０００４】
【特許文献１】特開平１１−１３０１００号公報（第２−４頁、第１−３図）
【発明の開示】
【発明が解決しようとする課題】
【０００５】
この特許文献１にある商品包装用袋も、図１１に示す従来技術の釣針の包装袋よりも釣針の取り出しが容易にはなっているが、使用者が台紙にあるミシン目線部分に沿って台紙の一部を切り取らねばならず、簡単な構造からなるものではなかった。このため使用者にとって容易に使用できるものではなく、製造面からも多くの負担を伴うものであった。
しかも釣針の包装体は、釣針が引っ掛かり、包装体が破れるなどの破損をすることが多く、釣針の包装体から釣針を出し入れする場合に、商品の外観としても必ずしも良いものではなかった。
そこで、釣針の針先が包装袋に引っ掛かることなく、釣針の取り出しが容易であり、より簡単な構造なものが望まれていた。
【課題を解決するための手段】
【０００６】
そこで、本発明の商品包装体は、台紙と包装袋からなる商品包装体であって、商品を折り畳んだ台紙の内部に収容し、該商品の主要部を台紙の上部に形成した窓部から露出させるものであり、包装袋は下方に挿入口を開口させ、上部に表面シートもしくは裏面シートのいずれかを延長させて折り返し、その折り返した内部に補強シートを挟み込んだ状態で接合してフック受け部を形成するものであり、その補強シートをフック受け部の接合箇所より下方に延長して、台紙の窓部を覆う蓋部を形成し、該蓋部によって前記商品が露出している台紙の窓部を覆うとともに、蓋部の側縁部と包装袋は切り離し可能に接合し、包装袋の下方の挿入口から台紙を挿入した後、該挿入孔を接合して密閉したことを特徴とするものである。
【０００７】
また、台紙と包装袋からなる商品包装体であって、商品を折り畳んだ台紙の内部に収容し、該商品の主要部を台紙の上部に形成した窓部から露出させるものであり、包装袋は下方に挿入口を開口させ、上部に表面シートもしくは裏面シートのいずれかを延長させて折り返し蓋部を形成するものであり、その折り返し蓋部によって前記商品が露出している台紙の窓部を覆うとともに、折り返し蓋部の側縁部と包装袋は切り離し可能に接合し、包装袋の下方の挿入口から台紙を挿入した後、該挿入孔を接合して密閉したことが好ましい。
【０００８】
また、蓋部若しくは折り返し蓋部は包装袋の表面に対して繰り返し着脱可能な状態に貼着されるよう、蓋部若しくは折り返し蓋部の先端付近の包装袋表面と貼着する面に粘着剤が塗布されており、粘着剤が塗布されている部分には、フィルムが被覆されていることが好ましい。
【発明の効果】
【０００９】
請求項１、２に記載の発明により、包装袋の折り返し蓋部と包装袋の表面とが接合されている折り返し蓋部の側縁部を切り離すことにより、包装状態から簡単に商品、主にハリス付き釣針を取り出す状態にすることができる。このため、ハリスつき釣針などの商品を取り出すときに、包装袋から台紙を引っ張り出さずに釣針などの商品を取り出せることができる。しかも、従来の商品包装体には図１１に示す蓋シートが別途台紙の切込に取り付けられていたが、これを取り付ける必要がなく、簡易な構造による商品包装体を提供できる。
このように、簡単な構造かつ簡単な方法で商品を包装し、商品を取り出すことができる商品包装体を提供することができる。
また、釣針を商品として使用する場合には、包装袋から台紙を取り出すときなどに釣針が引っ掛かって包装袋が破れるということが多かったが、折り返し蓋部により開閉して釣針を取り出すことで、釣針が包装袋に引っ掛かるような、台紙の出し入れなどがなく、包装袋を破れるという包装袋の外観が損なわれることがない。
そして、台紙を包装袋の下側から挿入するために、台紙挿入時に埃などが包装袋内に混入することが激減し、高い商品品質で、外観のよいままに商品を提供することができる。
【００１０】
請求項３に記載の発明により、蓋部、折り返し蓋部が何度も貼着と剥離が可能になるように粘着剤が塗布されていることから、何回も包装袋を開閉して使用することができ、包装袋自体が釣針入れなどの商品を入れる収納体として使用することができる。
しかも、粘着剤の上にフィルムが貼られていることから、包装状態では折り返し蓋部と包装袋表面は貼着されておらず、初めて釣針を取り出すときにフィルムを剥がして折り返し蓋部と包装袋表面とを粘着剤で貼着して閉じるようにしている。このため、あらかじめ粘着剤で包装袋が接着されている場合と異なり、粘着剤が開封するまで劣化することなく何度も貼着と剥離が可能となり、商品包装体を開封後も釣針入れとして何度も使用が可能となる。
【発明を実施するための最良の形態】
【００１１】
本発明の実施の一例を図面に添って説明する。
図１は商品包装体１の全体斜視図であり、図２〜図４は台紙を示しており、図５〜図７は第１実施例にかかる包装袋２を示しており、図８〜図１０は第２実施例にかかる包装袋２を示しており、図１１は従来技術を示すものである。
【００１２】
本発明の商品包装体１は、図１に示すように包装袋２と台紙３からなるものであり、本実施例においてはハリス４がついた釣針５を被包装商品とする商品包装体１について説明する。
尚、図１では包装袋２の蓋部３８を捲り上げた状態で包装体窓部３９、台紙窓部１４から釣針５が露出した状態を示している。
【００１３】
図２に示すように、台紙３は厚紙状の素材であり、台紙本体６、扉片７、ハリス支持片８、ハリスおり返し片９、補強片１０からなるものである。
尚、図２、３は折り畳む状態がわかりやすいように台紙３の裏側から示している。
図２(ａ)に示すように、中央に台紙本体６があり、台紙本体６の右側に扉片７が形成され、台紙本体６の左側にハリス支持片８が形成されている。そして台紙本体６の下側にハリスおり返し片９が形成され、ハリス支持片８の上側に補強片１０が形成されている。
扉片７、ハリス支持片８、ハリスおり返し片９は台紙本体６の左右縁と下縁からそれぞれ連続して形成され、補強片１０はハリス支持片８の上縁から連続して形成されており、製造時には厚紙状の素材から台紙３全体をカッティングし、台紙本体６と扉片７、ハリス支持片８、ハリスおり返し片９との間の縁とハリス支持片８と補強片１０との間の縁には折り畳みが容易になるように折り畳み線１１が形成されるよう製造される。また、図２(ａ)、(ｂ)に示すように、配置片１７が台紙本体６の窓部１４に取り付けられる。この配置片１７は透明の素材からなり、先端を台紙本体６の切込１８に挿入し、両側を台紙窓部１４の裏側に嵌め込んで固定されている。この配置片１７により釣針５を外部から全体が見れるように配置することができる。
【００１４】
台紙３は扉片７、ハリス支持片８、ハリスおり返し片９、補強片１０を折り畳んで形成される。図２(ｂ)に示すように、補強片１０を折り畳み線１１に沿って下方に折り畳み、ハリスおり返し片９も折り畳み線１１に沿って上方に折り畳む。ここで、ハリスおり返し片９はまず中央で山折りに折り畳みながら、ハリスおり返し片９全体を上方に折り畳む。そして図３(ａ)に示すように、その上からハリス支持片８を台紙本体６に重なるように折り畳み線１１に沿って右方に折り畳み、その上から扉片７を台紙本体６とハリス支持片８に重なるように左方に折り畳む。
このとき、図３(ｂ)に示すように、扉片７に形成されている差込部１２をハリス支持片８に形成されている切込固定部１３に挿入する。この挿入により、図３(ｃ)に示すように、台紙３を折り畳んだ状態で係止される。また、再び台紙３を開けるときには切込固定部１３から差込部１２を抜けば、台紙３の折り畳み状態が解除され、台紙３に収容している釣針５を巻き付けることなどが可能になる。
【００１５】
ハリス４がついた釣針５を台紙に収容している状態を図４に示している。図４は図面上、台紙３の差込部１２と切込固定部１３による折り畳んだ状態から開けた状態で台紙３の裏側から示したものとなっているが、通常、台紙３は切込固定部１３に差込部１２が挿入されて折り畳んで固定されている。
台紙３の台紙本体６の上縁は凹みが形成されて窓部１４が形成されており、その窓部１４に前述した配置片１７が取り付けられている。台紙３を折り畳むときに折り畳んだ補強片１０が窓部１４の内面側に配置されるようになる。ハリスつき釣針５を台紙に内包するときに凹んだ窓部１４に湾曲している釣針５を引っ掛けて支持する。図１に示すように窓部１４の配置片１７に釣針５を配置することで、釣針５の全体を外部からみることができ、釣針５の針先により台紙３が傷つけられるのを防ぐため、窓部１４を補強するために補強片１０が配置されている。
【００１６】
釣針５は窓部１４にある配置片１７に、台紙３の外側から内側にかけて釣針の湾曲している部分を引っ掛けて配置され、釣針５に取り付けられたハリス４は、台紙本体６の切込１８から台紙３の内部に通され、ハリス支持片８の通し孔１５、１５を通して巻き付けて支持される。この通し孔１５はハリス支持片８の上方と下方に形成されていてもいいが、ハリス支持片８の四隅に形成されているなど、いずれの位置に形成されていてもよい。通し孔１５は２つの孔１５、１５とその２つの孔の間に切り込みを入れてハリス４を通しやすくし、ハリス支持片８の上側の通し孔１５と下側の通し孔１５の各々の孔にハリス４を巻き付けて支持している。なお、ハリス通し孔１５に結果として通すことになっているが、通常台紙３にハリスを収納する時には、通し孔１５の二つの孔の間にある半円状の切り込みにハリス４を掛けていく。このことで結果的に通し孔１５にハリスを通すことになっている。
ハリス４は通し孔１５に通す前に、台紙本体６の切込１８から台紙内部に入れられ、ハリスおり返し片９によりおり返られて通し孔１５により固定されている。ハリスおり返し片９は台紙３を折り畳むときに、半分に折り曲げて内方に折り込んでいるが、折り曲げたハリスおり返し片９に棒固定用切込１６、１６が形成されており、棒固定用切込１６、１６におり返し棒１９が固定され、ハリスおり返し片９の中央にある切欠部２０からおり返し棒１９が露出している。この露出したおり返し棒１９によりハリス４をおり返しているために、ハリス４の抜けがスムーズになっている。
【００１７】
包装袋２について説明する。図５は包装袋２の斜視図であり、図６、図７は包装袋の断面図である。また、図８は第２実施例である。
包装袋２は、前述の実施例に記載されるような、上部に窓部１４が配置される台紙３を使用した場合に、包装袋２が傷つき難く、使用し易い商品包装体１となるようなものである。
【００１８】
包装袋２は表面シート３１と裏面シート３２とを接合して形成されるものである。表面シート３１と裏面シート３２との接合は両側縁を圧着して接合されている。この表面シート３１と裏面シート３２はポリエチレン製の薄手の透明シートによって形成されるものである。
図６、図７に示すように、表面シート３１と裏面シート３２との下端は開口されて、挿入口４３が形成されている。この挿入口４３から袋状の内部に折り畳んだ台紙３を挿入して、挿入口４３を圧着して密閉する。
接合した裏面シート３２は折り返し縁３３で折り返して下方にフック受け部３４を形成している。フック受け部３４には略三角形状のフック受け口３５が開口されている。フック受け部３４は、折り返している裏面シート３２の内側に補強部材３７を挟み込んでいる。折り返した裏面シート３２はフック受け部３４の下縁で補強部材３７と裏面シート３２に圧着して接合し、接合部３６が形成されている。
【００１９】
図６の断面図に示すように、接合部３６から補強部材３７を延長して蓋部３８を形成している。この蓋部は接合部３６から下方に延長して表面シート３１の上部分に被覆している。この補強部材３７と延長した蓋部３８はポリエチレン製のシートで、表面シート３１や裏面シートよりも厚手のシートにより成型されている。
一方、表面シート３１は裏面シート３２に対して短く形成されており、裏面シート３２を折り返した先端が接合部３６で接合されているが、この接合部３６よりも一定間隔をあけて、下方に表面シート３１の上端部が位置するようになっており、この接合部３６と表面シート３１の上端部との間が包装体窓部３９となる。
そして、この包装袋２に台紙３を挿入したときに、台紙上部に形成される台紙窓部１４が、包装体窓部３９に位置するように形成されている。
補強部材３７から延長された蓋部３８は包装体窓部３９を被覆して、表面シート３１の上部まで被覆している。
【００２０】
蓋部３８は包装体窓部３９を被覆しているが、図７に示すように、蓋部３８は表面シート３１と裏面シート３２の側縁が圧着されているのと同じく、蓋部３８の両側縁４０、４０は表面シート３１、裏面シート３２との側縁と圧着接合されている。蓋部３８の両側縁４０、４０の圧着は使用時に切り離しがしやすいようにしておくことが好ましい。
蓋部３８と表面シート３１の上端の被覆する部分には粘着剤４１が塗布されている。粘着剤４１は蓋部３８が表面シート３１と接着、剥離を繰り返し行うことができるものであればよく、接着剤を使用しても良い。粘着剤４１は全体がフィルム４２に覆われており、フィルム４２を剥がさないと粘着剤４１による接着と剥離ができないようになっている。
【００２１】
このような包装袋２の使用例を示す。
使用者は商品包装体１を手にとり、図１に示すように、蓋部３８を捲り挙げる。使用前は、蓋部３８の両側縁４０、４０で圧着されているために蓋部３８は包装体窓部３９、台紙窓部１４を被覆して固定されているが、使用者は圧着されている蓋部３８の両側縁４０、４０を切り離して、蓋部３８を捲り上げる。このように蓋部３８を捲り上げると包装体窓部３９、台紙窓部１４から釣針５が露出しており、釣針５を引っ張り出したりすることで釣針５を取り出すことができる。
表面シート３１に貼着されているフィルム４２を剥がすと、塗布されている粘着剤４１があらわれ、この粘着剤４１により、蓋部３８を再び貼り付けて包装体窓部３９、台紙窓部１４を被覆することができる。このようにして、何度も蓋部３８を開閉することで商品包装体１を何度も開閉できることになり、開封後も釣針入れとして使用することができる。
【００２２】
本発明の第２実施例を図８に示す。
図８に示すように、包装袋２は、第１実施例と同じく表面シート５１と裏面シート５２の左右両側縁を圧着して形成している。表面シート５１は裏面シート５２よりも長手方向に短く、台紙３を内部に挿入したときに、台紙窓部１４が表面シート５１の上端から上方に突出するように形成されている。
図９、図１０に示すように、表面シート５１と裏面シート５２との下端は開口されて、挿入口６３が形成されている。この挿入口６３から袋状の内部に折り畳んだ台紙３を挿入して、挿入口６３を圧着して密閉している。
【００２３】
図９に示すように、裏面シート５２は上方向に延長され、上端を折り返し縁５３から表面シート５１に折り返して折り返し蓋部５８が形成されている。折り返し蓋部５８は表面シート５１の上端から突出した台紙窓部１４や表面シート５１の上端付近に重って被覆するように形成されている。
接合した裏面シート５２は折り返し縁５３で折り返してフック受け部５４を形成している。フック受け部５４には略三角形状のフック受け口５５が開口されている。フック受け部５４は、折り返している裏面シート５２の内側に補強部材５７を挟み込んでいる。この補強部材５７は厚手のポリエチレン製シートによるものであり、補強部材５７を使用することが好ましいが、第２実施例には補強部材５７がなくてもよい。折り返した裏面シート５２はフック受け部５４の下縁で補強部材５７と裏面シート５２に圧着して接合し、接合部５６が形成されている。
【００２４】
図９、図１０の断面図に示すように、接合部５６から折り返した裏面シート５２を延長して折り返し蓋部５８を形成している。この折り返し蓋部５８は接合部５６から下方に延長して表面シート５１の上部分に被覆している。
表面シート５１は裏面シート５２に対して短く形成されており、裏面シート５２を折り返した先端が接合部５６で接合されているが、この接合部５６よりも一定間隔をあけ、下方に表面シート５１の上端部が位置するようになっており、この接合部５６と表面シート５１の上端部との間が包装体窓部５９になる。
そして、この包装袋２に台紙３を挿入したときに、台紙上部に形成される台紙窓部１４が、包装体窓部５９に位置するように形成されている。
つまり、第２実施例は第１実施例と異なり、補強部材を延長するものではなく、裏面シート５２を延長させて折り返し蓋部５８を形成するものである。この場合、折り返し蓋部５８はポリプロピレン製の薄手のシートにより形成されているために、薄手の商品包装体１となり、簡易な商品の包装などに適している。
【００２５】
第１実施例と同じく折り返し蓋部５８は包装体窓部５９を被覆しているが、折り返し蓋部５８の両側縁６０、６０は表面シート５１、裏面シート５２と圧着接合されている。折り返し蓋部５８の両側縁６０、６０の圧着は使用時に切り離しがしやすいようにしておくことが好ましい。
折り返し蓋部５８と表面シート５１の上端の被覆する部分には粘着剤６１が塗布されている。粘着剤６１は折り返し蓋部５８が表面シート５１と接着、剥離を繰り返し行うことができるものであればよく、接着剤を使用しても良い。粘着剤６１は全体がフィルム６２に覆われており、フィルム６２を剥がさないと粘着剤６１による接着と剥離ができないようになっている。
【００２６】
第２実施例は第１実施例と同じく、商品包装体１を使用する場合は、折り返し蓋部５８の両側縁の圧着している部分を切り離すと、折り返し蓋部５８は左右両側方と下方が開放されることになり、上方の接合部５６を支点に捲ると折り返し蓋部５８を開けることができる。折り返し蓋部５８を開けるとその位置に台紙３の包装体窓部５９、台紙窓部１４が配置されており、台紙窓部１４に配置される釣針５を抜き出すと、包装袋２から台紙３を抜き出すことなく釣針５を取り出すことができる。
そして、表面シートにある粘着剤６１が塗布された部分に覆われているフィルム６２を剥がすと、この粘着剤により折り返し蓋部５８が剥離、接着が何度も可能になり、折り返し蓋部５８を釣針入れとして何度も使用することが可能になる。
【図面の簡単な説明】
【００２７】
【図１】図１は本発明の商品包装体の斜視図である。
【図２】図２は台紙の折り畳み状態を示す斜視図である。
【図３】図３は台紙の折り畳み状態を示す斜視図である。
【図４】図４は台紙の内方にハリスつき釣針が巻き付けられている状態を示す斜視図である。
【図５】図５は包装袋の斜視図である。
【図６】図６は図５のＡ−Ａ線拡大断面図である。
【図７】図７は図５のＢ−Ｂ線拡大断面図である。
【図８】図８は第２実施例にかかる包装袋の斜視図である。
【図９】図９は図８のＣ−Ｃ線拡大断面図である。
【図１０】図１０は図８のＤ−Ｄ線拡大断面図である。
【図１１】図１１は従来の商品包装体を示す斜視図である。
【符号の説明】
【００２８】
１…商品包装体、２…包装袋、３…台紙、４…ハリス、５…釣針、６…台紙本体、７…扉片、８…ハリス支持片、９…ハリスおり返し片、１０…補強片、１１…折り込み線、１２…差込部、１３…切込固定部、１４…台紙窓部、１５…通し孔、１６…棒固定用切込、１７…配置片、１８…切込、１９…おり返し棒、２０…切欠部、
３１…表面シート、３２…裏面シート、３３…おり返し縁、３４…フック受け部、３５…フック受け口、３６…接合部、３７…補強部材、３８…蓋部、３９…包装体窓部、４０…側縁、４１…粘着剤、４２…フィルム、４３…挿入口
５１…表面シート、５２…裏面シート、５３…折り返し縁、５４…フック受け部、５５…フック受け口、５６…接合部、５７…補強部材、５８…折り返し蓋部、５９…包装体窓部、６０…側縁、６１…粘着剤、６２…フィルム、６３…挿入口
１０１…商品包装体、１０２…釣針、１０３…ハリス、１０４…包装袋、１０５…取り出し片、１０６…取り出し口、１０７…台紙、１０８…蓋シート
【図１】
2005104571.tif 000003
【図２】
2005104571.tif 000004
【図３】
2005104571.tif 000005
【図４】
2005104571.tif 000006
【図５】
2005104571.tif 000007
【図６】
2005104571.tif 000008
【図７】
2005104571.tif 000009
【図８】
2005104571.tif 000010
【図９】
2005104571.tif 000011
【図１０】
2005104571.tif 000012
【図１１】
2005104571.tif 000013